(57)【要約】【課題】複層ガラス保持部材の内側に溜まった水を速やかにサッシ側に排出することができる板ガラス保持部材を提供する。【解決手段】複層ガラス保持部材３０は、断面略Ｕ字形の長尺状の硬質部材３１と、硬質部材３１の両縁部にその各下縁部で夫々固定された複層ガラス本体１１０をその各側部において挟持する一対の軟質部材３２とから成る。硬質部材３１の底面部４０とサッシ本体２１の底部２２の間には、セッティングブロック２３の設置されている部位を除いて、サッシ２０の長手方向に延びる針金製の中心軸部５１と、中心軸部５１に放射状に植設された毛５２とから成るブラシ状部材５０を備える。これにより、複層ガラス保持部材３０と複層ガラス本体１１０との間に滞留した水分は、毛細管現象により毛５２を介して水抜き孔３９からサッシ本体２０側に排出される。【選択図】    図３
2005036450.tif 000002
【特許請求の範囲】
【請求項１】
複層ガラス及びサッシ間に介装され、底面部に水抜き開口を有する断面Ｕ字形の板ガラス保持部材において、前記水抜き開口の下方に配され、上側部が前記水抜き孔を介して前記板ガラス保持部材の内部に達すると共に下側部が前記サッシに達するブラシ状部材を備えることを特徴とする板ガラス保持部材。
【請求項２】
前記ブラシ状部材の毛は、材質が硬質樹脂であることを特徴とする請求項１記載の板ガラス保持部材。
【請求項３】
前記ブラシ状部材の毛は、径が０．０５〜１．０ｍｍ、植設密度が１０〜１０００本／ｃｍ２であることを特徴とする請求項１又は２記載の板ガラス保持部材。
【請求項４】
前記ブラシ状部材の毛は、その植設密度が上側部で高く、下側部で低いことを特徴とする請求項１乃至３のいずれか１項に記載の板ガラス保持部材。
【発明の詳細な説明】
【０００１】
【発明の属する技術分野】
本発明は、板ガラス保持部材に関し、特に板ガラス体本体の外周縁部に取り付けられる板ガラス保持部材に関する。
【０００２】
【従来の技術】
図４に示すように、板ガラス体としての複層ガラス体１００は、複層ガラス本体１１０と、複層ガラス本体１１０の外周縁部に嵌め込まれた従来の板ガラス保持部材としての複層ガラス保持部材１３０から成り、複層ガラス本体１１０は、複層ガラス保持部材１３０を介してサッシ１２０に保持される（例えば、特許文献１〜３参照）。
【０００３】
サッシ１２０は、複層ガラス保持部材１３０が外周縁部に嵌め込まれた複層ガラス本体１１０を収容するチャンネル状のサッシ本体１２１と、下辺においては、サッシ本体１２１のチャンネルの底部であるチャンネル底部１２２上に載置され、複層ガラス本体１１０が収容された複層ガラス保持部材１３０を支持するセッティングブロック１２３とから成る。
【０００４】
複層ガラス保持部材１３０は、断面略Ｕ字形の長尺状であり、複層ガラス本体１１０の外周縁部を収容し得る溝１３３、及びサッシ１２０のチャンネル内に嵌め込まれ得る外形を有する硬質塩化ビニル製硬質部材１３１と、硬質部材１３１の両縁部にその各下縁部で夫々固定され、溝１３３に挿入された複層ガラス本体１１０をその各側部において挟持する塩化ビニル樹脂製又はエラストマー系樹脂製の一対の軟質部材１３２とから成る。
【０００５】
硬質部材１３１は、底部１３４に長手方向に沿って等間隔に、複層ガラス本体１１０と複層ガラス保持部材１３０の間から浸入した水を逃がすための複数の水抜き孔１３５を有する。
【０００６】
軟質部材１３２は、その内側面から硬質部材１３１の底部１３４に向かって斜めに突出する塩化ビニル樹脂製又はエラストマー系樹脂製でショア硬度６０〜７５度程度の一対の挟持片部１３６を備え、さらに、軟質部材１３２は、その上縁に、複層ガラス本体１１０の各表面との間を密閉すべく内側に突出した一対のシール片部１３７と、サッシ１２０のチャンネルの両縁部に対して夫々係止自在に外側に突出した一対の弾性張出係止部１３８とを備える。これらの挟持部１３６は、その先端部各々の間隔寸法が複層ガラス本体１１０の厚さ寸法より小さく設定されており、複層ガラス本体１１０が溝１３３に挿入される際に、複層ガラス本体１１０によって底部１３４方向に弾性的に撓んで、この撓みにより発生する弾性力によって複層ガラス本体１１０を挟持する。
【０００７】
複層ガラス本体１１０は、間に中空層１１４を画成するようにその周縁部に配されたスペーサ１１３を介して対向する一対の板ガラス１１１，１１２を備え、各板ガラス１１１，１１２とスペーサ１１３とは、一次シール材１１５により互いに接着されている。また、複層ガラス本体１１０の外周縁部で、板ガラス１１１，１１２、及びスペーサ１１３により形成された空間には、二次シール材１１６が充填されている。一次シール材１１５は、特に水分を透過し難くするためにブチルゴム製で、二次シール材１１６は、接着力の高いシリコン系またはポリサルファイド系のシール材で構成されている。スペーサ１１３は、横断面が略矩形の角筒部材１１３ａと、その角筒部材１１３ａの内空部に充填された乾燥材１１３ｂとから成り、角筒部材１１３ａには、中空層１１４に面する部分において、長手方向に沿って等間隔に複数の貫通孔１１３ｃが形成されている。乾燥剤１１３ｂは、中空層１１４内の水分を嵌通口１１３ｃを介して吸収し、中空層１１４内での結露を防止する。
【０００８】
複層ガラス本体１１０は、その外周縁部が複層ガラス保持部材１３０の挟持片部１３６により外周縁部を挟持され、且つ複層ガラス保持部材１３０の底部１３４上に支持され、もってこの複層ガラス保持部材１３０を介してサッシ１２０により保持される。
【０００９】
【特許文献１】
特開２００１−１８２４４８号公報
【特許文献２】
特開２００１−１８２４４９号公報
【特許文献３】
特開２００１−２０６２２号公報
【００１０】
【発明が解決しようとする課題】
しかしながら、複層ガラス保持部材１３０において、複層ガラス本体１１０と複層ガラス保持部材１３０の間隙が小さいので、複層ガラス本体１１０と複層ガラス保持部材１３０の間から浸入した水を速やかに排水することができない。
【００１１】
本発明の目的は、複層ガラス保持部材の内側に溜まった水を速やかにサッシ側に排出することができる板ガラス保持部材を提供することにある。
【００１２】
【課題を解決するための手段】
上記目的を達成するために、請求項１記載の板ガラス保持部材は、複層ガラス及びサッシ間に介装され、底面部に水抜き開口を有する断面Ｕ字形の板ガラス保持部材において、前記水抜き開口の下方に配され、上側部が前記水抜き孔を介して前記板ガラス保持部材の内部に達すると共に下側部が前記サッシに達するブラシ状部材を備えることを特徴とする。
【００１３】
請求項１記載の板ガラス保持部材によれば、水抜き孔の下方に配され、上側部が水抜き孔を介して板ガラス保持部材の内部に達すると共に下側部がサッシに達するブラシ状部材を備えるので、複層ガラス保持部材の内側に溜まった水を速やかにサッシ側に排出することができる。
【００１４】
請求項２記載の板ガラス保持部材は、請求項１記載の板ガラス保持部材において、前記毛は、前記ブラシ状部材の毛は、材質が硬質樹脂であることを特徴とする。
【００１５】
請求項３記載の板ガラス保持部材は、請求項１又は２記載の板ガラス保持部材において、前記ブラシ状部材の毛は、径が０．０５〜１．０ｍｍ、植設密度が１０〜１０００本／ｃｍ２であることを特徴とする。
【００１６】
請求項４記載の板ガラス保持部材は、請求項１乃至３のいずれか１項に記載の板ガラス保持部材において、前記ブラシ状部材の毛は、その植設密度が上側部で高く、下側部で低いことを特徴とする。
【００１７】
【発明の実施の形態】
以下、本発明の実施の形態に係る板ガラス保持部材を図面を参照にしながら説明する。
【００１８】
図１は、本発明の実施の形態に係る板ガラス保持部材を備える板ガラス体の部分斜視図である。
【００１９】
図１に示すように、複層ガラス体１（板ガラス体）は、複層ガラス本体１０（板ガラス体本体）と、複層ガラス本体１０の外周縁部に嵌め込まれた複層ガラス保持部材３０（板ガラス保持部材）から成り、複層ガラス本体１０は、複層ガラス保持部材３０を介してサッシ２０（板ガラス支持枠）に保持される。
【００２０】
サッシ２０は、図２に示すように、複層ガラス保持部材３０が外周縁部に嵌め込まれた複層ガラス本体１０を収容するアルミニウム製のチャンネル状サッシ本体２１と、下辺においては、サッシ本体２１のチャンネル底部２２上に載置され、複層ガラス保持部材３０を介して複層ガラス本体１０を支持するセッティングブロック２３とから成る。セッティングブロック２３は、下辺において、サッシ本体２１の両端部からサッシ２０の長手方向の長さの四分の一の位置に夫々設置されている。
【００２１】
図３は、図１の複層ガラス体１の部分断面図である。
【００２２】
図３の板ガラス体は、その構成が図４のものと基本的に同じであり、同じ構成要素については同一の参照番号を付して重複した説明を省略し、以下に異なる部分のみを説明する。
【００２３】
図３における複層ガラス保持部材３０は、断面略Ｕ字形の長尺状であり、複層ガラス本体１１０の外周縁部を収容し得る溝３３、及びサッシ２０のチャンネル内に嵌め込まれ得る外形を有する硬質塩化ビニル製硬質部材３１と、硬質部材３１の両縁部にその各下縁部で夫々固定され、溝３３に挿入された複層ガラス本体１１０をその各側部において挟持する塩化ビニル樹脂製又はエラストマー系樹脂製の一対の軟質部材３２とから成る。
【００２４】
軟質部材３２は、その内側面から複層ガラス本体１１０の端部に向かって斜めに突出する塩化ビニル樹脂製又はエラストマー系樹脂製でショア硬度６０〜７５度程度の一対の挟持片部３７を備え、さらに、軟質部材３２は、その上縁に、複層ガラス本体１１０の各表面との間を密閉すべく内側に突出した一対のシール片部３５と、サッシ２０のチャンネルの両縁部に対して夫々係止自在に外側に突出した一対の弾性張出係止部３６とから成る。これらの挟持片部３７は、その先端部各々の間隔寸法が複層ガラス本体１１０の厚さ寸法より小さく設定されており、複層ガラス本体１１０が溝３３に挿入される際に、複層ガラス本体１１０によって下方に弾性的に撓んで、この撓みにより発生する弾性力によって複層ガラス本体１１０を挟持する。
【００２５】
複層ガラス体１の少なくとも下辺における複層ガラス保持部材３０については、硬質部材３１は、一対の軟質部材３２の下縁部にその上縁が固定された側部４１と、複層ガラス本体１１０の外周縁部を支持する底面部４０とから成る。
【００２６】
また、複層ガラス保持部材３０は、硬質部材３１の底面部４０に等間隔に形成され、開口部の大きさが、短径４ｍｍ以上、長径１０ｍｍ以上の略矩形である複数の水抜き孔３９を有する。水抜き孔３９は略矩形以外の丸穴や長穴であってもよい。
【００２７】
更に、複層ガラス保持部材３０は、複層ガラス保持部材３０の硬質部材３１の底面部４０とサッシ本体２１の底部２２の間において、セッティングブロック２３の設置されている部位を除いて、ブラシ状部材５０を備える。ブラシ状部材５０は、サッシ２０の長手方向に延びる針金製の中心軸部５１と、中心軸部５１に放射状に植設された毛５２とから成る。
【００２８】
毛５２は、材質が硬質樹脂であり、径が０．０５〜１．０ｍｍ、植設密度が１０〜１０００本／ｃｍ２である。これにより、複層ガラス保持部材３０と複層ガラス本体１１０との間に滞留した水分は、毛細管現象により毛５２を介して水抜き孔３９からサッシ本体２０側に排出される。
【００２９】
毛５２は、植設密度が硬質部材３１の底面部４０側（上側部）で高く、サッシ本体２１の底部２２側（下側部）で低いのがよい。これにより、水抜き孔３９を介してのブラシ状部材５０への水の吸収、並びにブラシ状部材５０からサッシ本体２１の底部２２への水の排出を夫々促進することができる。
【００３０】
上記実施の形態において、複層ガラス本体１１０は、合わせガラスや、三枚以上の板ガラスを備えて構成してあるものであってもよく、また、複層ガラス本体１０を構成する板ガラスの全部又は一部が、熱線吸収、紫外線吸収や熱線反射（遮熱用を含む）等の機能を備えたものや、網入りや強化処理等を施したもので構成してあってもよい。
【００３１】
図１における複層ガラス保持部材３０は、上記形状に限るものではなく、また、上記材質に限るものではない。
【００３２】
図１におけるサッシ２０は、上記形状に限るものではなく、また、アルミニウム製のものに限定されるものではなく、例えば、鉄製や、ステンレス鋼製、またはアルミニウムと樹脂の複合構造であってもよい。また、底部２２にタッピングホール等の突起物を有するものであってもよい。
【００３３】
【発明の効果】
以上詳細に説明したように、請求項１記載の板ガラス保持部材によれば、水抜き孔の下方に配され、上側部が水抜き孔を介して板ガラス保持部材の内部に達すると共に下側部がサッシに達するブラシ状部材を備えるので、複層ガラス保持部材の内側に溜まった水を速やかにサッシ側に排出することができる。
【図面の簡単な説明】
【図１】本発明の実施の形態に係る板ガラス保持部材を備える板ガラス体の部分斜視図である。
【図２】図１におけるサッシ２０の部分斜視図である。
【図３】図１の複層ガラス体１の部分断面図である。
【図４】従来の板ガラス保持部材を備える板ガラス体の部分断面図である。
【符号の説明】
１  板ガラス体
１０  複層ガラス本体
２０  サッシ
３０  複層ガラス保持部材
３９  水抜き孔
５０  ブラシ状部材
５２  毛
【図１】
2005036450.tif 000003
【図２】
2005036450.tif 000004
【図３】
2005036450.tif 000005
【図４】
2005036450.tif 000006